(57)【要約】【課題】座の支持構造が座の下方の空間を大きく妨げることなく、座を安定よく支持することができ、しかも、座の前後方向の移動軌跡が、座と脚部材とが床面と一体の支持体に設けた枢軸を中心として回動するようにした従来の椅子における座の前後方向の回動軌跡よりもなだらかな円弧を描くようにすることができ、着座感および使い勝手がよく、しかも構造が簡単で、安価に製造できるようにした椅子を提供する。【解決手段】床面に固着した固定板７に対して、可動板８をほぼ前後方向に移動可能として装着してなるスライド機構９と、スライド機構９の可動板８上に固着したベース３１と、ベース３１上に立設した脚柱３２と、脚柱３２上に支持された座６とを備えるものとする。【選択図】  図４
2015085103.tif 000002
【特許請求の範囲】
【請求項１】
床面に固着した固定部材に対して、可動部材をほぼ前後方向に移動可能として装着してなるスライド機構と、
前記スライド機構の可動部材上に固着したベースと、
前記ベース上に立設した脚部材と、
前記脚部材上に支持された座
とを備えることを特徴とする椅子。
【請求項２】
スライド機構を、可動部材の前後方向の移動時における瞬間中心が、床面より下方に位置し、可動部材が側面視において上向き凸型のなだらかな円弧を描いて前後方向に案内されるように構成した請求項１記載の椅子。
【請求項３】
スライド機構を、固定部材と可動部材とのいずれか一方に設けられた左右方向を向く前後１対のガイドピンと、前記固定部材と可動部材とのいずれか他方に設けられ、かつ可動部材の前後方向の移動時に、前記各ガイドピンを互いに独立して案内する前後１対のガイド溝を設けた左右１対の側板とを備えるものとし、前記ガイド溝の形状を、可動部材が前方に移動したときは、可動部材の前部が下向きに傾動し、可動部材が後方に移動したときは、可動部材の前部が上向きに傾動するように定めた請求項１または２記載の椅子。
【請求項４】
脚部材を、ベースの左右方向の中央における後部、もしくは前部、またはその両方に設けた請求項１〜３のいずれかに記載の椅子。
【請求項５】
ベースの上面を物品載置面とするか、または座とベースとの間において、棚板を脚部材に設けた請求項１〜４のいずれかに記載の椅子。
【請求項６】
固定部材に、可動部材を前方に向けて付勢する付勢手段を設けた請求項１〜５のいずれかに記載の椅子。
【発明の詳細な説明】
【技術分野】
【０００１】
本発明は、講義室等において、机と組み合わせて床上に設けられる椅子に関する。
【背景技術】
【０００２】
従来のこの種の椅子には、床面に固着した固定部に、上端部に座の前部が枢支された主リンクの下端部と、上端に背凭れが固着された背凭れ支持杆の下端部とを、左右方向を向く共通の軸をもって枢着し、かつ座の後部と背凭れ支持杆の中間部とを補助リンクをもって連結することにより、背凭れを前後に回動させたり、座を水平状態から、後部が持ち上げられた状態まで回動しうるようにしたもの(例えば特許文献１参照)や、床に固着した支持体に、脚柱の下端部を左右方向を向く軸回りに回動しうるようにするとともに、脚柱の上端に、座を前後方向にスライド可能として装着したもの(例えば特許文献２参照)や、床に固着した基部に対して着座部を、前側脚部および後側脚部からなる平行リンク機構をもって支持し、着座部を前後方向に平行移動しうるようにしたもの(例えば特許文献３参照)等がある。
【先行技術文献】
【特許文献】
【０００３】
【特許文献１】特許第２９２７７１２号公報
【特許文献２】特許第４６５９４３５号公報
【特許文献３】特許第３７５１８０２号公報
【発明の概要】
【発明が解決しようとする課題】
【０００４】
しかし、上記のような従来のいずれの椅子も、脚柱が前後方向に大きく回動するため、座の下方の空間を有効に利用することができない。
【０００５】
特に、特許文献１に記載されている椅子においては、座の下方に、主リンクと背凭れ支持杆と補助リンクとが存在し、それらが座の下方の空間の大部分を専有し、しかもそれらの構造が複雑であり、さらに、着座者の臀部に上向きの付勢力が、また背凭れからは前向の付勢力が作用し、着座感や使い勝手、および座の安定性が悪い等の問題がある。
【０００６】
特許文献２に記載されている椅子においては、脚柱を支持体に枢着するだけでなく、脚柱の上端に、座を前後方向にスライド可能として装着しているので、座の安定性が悪く、しかも座の支持構造が複雑で、製造コストが高くつく。
【０００７】
特許文献３に記載されている椅子においては、床に固着した基部と着座部とを、平行リンク機構をもって連結しなければならないので、座の下方の空間が平行リンク機構によって妨げられるだけでなく、着座者の足が平行リンクに当接するおそれが大であり、しかも、部品点数が多く、構造が複雑で、製造コストが高くつく等の問題がある。
【０００８】
本発明は、従来の技術が有する上記のような問題点に鑑みてなされたもので、本発明の第１の目的は、座の支持構造が座の下方の空間を大きく妨げることなく、座を安定よく支持することができ、しかも構造が簡単で、安価に製造できるようにした椅子を提供することにある。
本発明の第２の目的は、座の前後方向の移動軌跡が、座と脚部材とが床面と一体の支持体に設けた枢軸を中心として回動するようにした従来の椅子における座の前後方向の回動軌跡よりも、なだらかな円弧を描くようにすることができ、着座感および使い勝手がよいようにした椅子を提供することにある。
【課題を解決するための手段】
【０００９】
本発明によると、上記課題は、次のようにして解決される。
（１）床面に固着した固定部材に対して、可動部材をほぼ前後方向に移動可能として装着してなるスライド機構と、前記スライド機構の可動部材上に固着したベースと、前記ベース上に立設した脚部材と、前記脚部材上に支持された座とを備えるものとする。
【００１０】
このような構成によると、ベースと脚部材と座とを一体とすることができるので、座を安定よく支持することができるだけでなく、従来の椅子のように、脚部材が大きく前後方向に回動することがないので、座の支持構造が座の下方の空間を大きく妨げることがなく、しかも構造が簡単で、安価に製造することができる。
【００１１】
（２）上記(１)項において、スライド機構を、可動部材の前後方向の移動時における瞬間中心が、床面より下方に位置し、可動部材が側面視において上向き凸型のなだらかな円弧を描いて前後方向に案内されるように構成する。
【００１２】
このような構成によると、座の前後方向の移動軌跡が、座と脚部材とが床面と一体の支持体に設けた左右方向を向く枢軸を中心として回動するようにした従来の椅子における座の前後方向の回動軌跡よりもなだらかな円弧を描くようにすることができ、もって、着座者は、わずかな力で背凭れと座を引き出して着座することができるとともに、着座後も、踝や臀部に大きな力を加えることなく、上半身をわずかに前後動させるだけで、座を前後方向に移動させることができるので、着座感および座を前後動させる際の使い勝手をよくすることができる。
【００１３】
（３）上記(１)または(２)項において、スライド機構を、固定部材と可動部材とのいずれか一方に設けられた左右方向を向く前後１対のガイドピンと、前記固定部材と可動部材とのいずれか他方に設けられ、かつ可動部材の前後方向の移動時に、前記各ガイドピンを互いに独立して案内する前後１対のガイド溝を設けた左右１対の側板とを備えるものとし、前記ガイド溝の形状を、可動部材が前方に移動したときは、可動部材の前部が下向きに傾動し、可動部材が後方に移動したときは、可動部材の前部が上向きに傾動するように定める。
【００１４】
このような構成によると、ベースを可及的に床面に近接させることができ、座の下方の空間を大とすることができるとともに、スライド機構の構造を簡素化し、安価に製造することができる。
【００１５】
（４）上記(１)〜(３)項のいずれかにおいて、脚部材を、ベースの左右方向の中央における後部、もしくは前部、またはその両方に設ける。
【００１６】
このような構成によると、座の下方の空間に、椅子の左右方向だけでなく、斜め後方や斜め前方からも物品を出し入れすることができ、座の下方の空間を物品収容空間としたときの使い勝手がよい。
【００１７】
（５）上記(１)〜(４)項のいずれかにおいて、ベースの上面を物品載置面とするか、または座とベースとの間において、棚板を脚部材に設ける。
【００１８】
このような構成によると、座の下方の空間を、物品収容空間として有効に利用することができる。
【００１９】
（６）上記(１)〜(５)項のいずれかにおいて、固定部材に、可動部材を前方に向けて付勢する付勢手段を設ける。
【００２０】
このような構成によると、椅子の不使用時に、座を、机の天板等に近接した前限まで移動させて、椅子の後方に人が通行できる空間を形成することができる。
【発明の効果】
【００２１】
本発明によると、座の支持構造が座の下方の空間を大きく妨げることなく、座を安定よく支持することができ、しかも、座の前後方向の移動軌跡が、座と脚部材とが床面と一体の支持体に設けた枢軸を中心として回動するようにした従来の椅子における座の前後方向の回動軌跡よりもなだらかな円弧を描くようにすることができ、着座感および使い勝手がよく、しかも構造が簡単で、安価に製造できるようにした椅子を提供することができる。
【図面の簡単な説明】
【００２２】
【図１】本発明の椅子の一実施形態を、その前後に配設した机とともに示す側面図であり、座が可動範囲の前限に位置している状態を実線で、同じく中間位置および後限に位置している状態を２点鎖線で示す。
【図２】本発明の椅子の一実施形態における座が中間位置に位置しているときの側面図である。
【図３】同じく、座が後限に位置しているときの側面図である。
【図４】本発明の椅子の分解斜視図である。
【図５】座が後限に位置しているときの本発明の椅子を、斜め前上方より見た斜視図である。
【図６】座が後限に位置しているときの椅子を、斜め前下方より見た斜視図である。
【図７】スライド機構における可動板とガススプリングとを、斜め前下方より見た斜視図である。
【図８】スライド機構における固定板とガススプリングとを、斜め後上方より見た斜視図である。
【図９】図１のIX−IX線拡大縦断正面図である。
【図１０】物品載置板を斜め後上方より見た斜視図である。
【図１１】物品載置板を斜め前下方より見た斜視図である。
【図１２】ベ−スとスライド機構における可動板との底面図である。
【図１３】図１２のXIII−XIII線縦断面図である。
【図１４】図１２のXIV−XIV線縦断面図である。
【図１５】図２のXV−XV線横断下面図である。
【図１６】図１５のXVI−XVI線縦断面図である。
【図１７】図１５のXVII−XVII線縦断面図である。
【図１８】図１６のＡ部の拡大図である。
【図１９】座フレームを除いた座の分解斜視図である。
【図２０】表装部材を斜め下方より見た斜視図である。
【発明を実施するための形態】
【００２３】
以下、本発明の一実施形態を、添付図面を参照して説明する。
図１は、本発明の椅子の一実施形態を、その前後に配設した机とともに示す側面図である。
図１に示すように、講義室等の床面１上に、固定脚２の上端に横長の天板３が設けられた複数の机(天板付き家具)４が、前後方向に間隔を置いて設置され、前後に隣接する机４、４間の床面１上に、複数(その１個のみを図示する)の椅子５が、左右方向に並べて、かつほぼ前後方向に移動可能として設けられている。
【００２４】
図１においては、椅子５の座６が前限に位置している状態を実線で、同じく中間位置および後限に位置している状態を２点鎖線で示してある。
図２は、座６が中間位置に位置している状態の椅子の側面図、図３は、座６が後限に位置している状態の椅子の側面図である。
【００２５】
次に、全図を参照して、椅子５の具体的な構造について詳細に説明する。
この椅子５は、床面１に固着した固定板(固定部材)７に対して、可動板(可動部材)８がほぼ前後方向に移動可能としたスライド機構９と、スライド機構９の可動板８上に設けた脚１０と、脚１０上に支持された上記座６と、座６の後端より起立するように座６と一体的に設けられた背凭れ１１とを備えている。
【００２６】
スライド機構９は、図４〜図９に示すように、固定板７の両側部に立設した左右１対の側板１２、１２の前後部に、中央部が下方に凹入する側面視円弧状のガイド溝１３、１４を設け、この前後のガイド溝１３、１４に、可動板８の両側部より垂下する左右１対の側板１５、１５の外側面に、左右方向を向く軸１６をもって枢着したガイドローラ１７、１８を嵌合したものよりなっている。なお、ガイドローラ１７、１８を、単なるガイドピンとしてもよい。
【００２７】
両側板１２、１２に設けられた前後のガイド溝１３、１４の形状は、図２に示すように、座６が中間位置に位置し、かつガイドローラ１７、１８がガイド溝１３、１４の前後方向の中間位置に位置している状態から、図１に実線で示すように、座６が前限に向かって移動する際は、前方のガイドローラ１７が中間位置のときとほぼ等高かまたは下方に位置し、後方のガイドローラ１８が中間位置のときより上方に位置するようにガイド溝１３、１４によって案内され、座６が中間位置に位置している状態から、図３に示すように、座６が後限に向かって移動する際は、前方のガイドローラ１７が中間位置のときより上方に位置し、後方のガイドローラ１８が中間位置のときとほぼ等高かまたは下方に位置するようなものとしてある。
【００２８】
また、スライド機構９は、可動板８の前後方向の移動時における瞬間中心が、床面１より下方に位置し、可動板８が側面視において上向き凸型のなだらかな円弧を描いて前後方向に案内されるように、ガイド溝１３、１４の形状を定めてある。
ガイド溝１３、１４の形状は、中央部が下方に凹入する側面視円弧状に拘るものではない。例えば、前方のガイド溝１３を、中央部から前方が下向き傾斜し、中央部から後方がほぼ水平とした山形または中央部が上方に突出する側面視円弧状とし、かつ後方のガイド溝１４を、中央部から前方がほぼ水平、中央部から後方が下向き傾斜する山形または中央部が上方に突出する側面視円弧状とすることもできる。
【００２９】
さらに、ガイド溝１３、１４を、可動板８の側板１５、１５に設け、ガイドローラ１７、１８を固定板７の側板１２、１２に設けることもできる。
【００３０】
ガイド溝１３、１４には、ガイドローラ１７、１８を円滑に案内するためのガイドブッシュ１３ａ、１４ａを設けるのが好ましい。この実施形態においては、ガイドブッシュ１３ａ、１４ａは、固定板７の両側板１２、１２の内面に添設され、かつ側板１２とその内側の可動板８の側板１５の外側面とが直接摺動するのを防止するための摺動板１２ａと一体的に設けてある(図４、図８および図９参照)。
摺動板１２ａは、上向きまたは下向きの係止爪１２ｂを、各側板１２に設けた係合孔２２に嵌合係止させることにより、側板１２に装着されている。
【００３１】
固定板７における左右の側板１２、１２間の後部に固着したブラケット２０には、圧縮ばねとして作用するガススプリング１９の後端部が、左右方向を向く軸２０ａをもって枢着されている。
可動板８における左右の側板１５、１５間の前部に固着したブラケット２１には、上記ガススプリング１９の前端部が、左右方向を向く軸２１ａをもって枢着されている。
このガススプリング１９により、可動板８、ひいては座６は、前限に向かって常時付勢され、椅子５の不使用時に、座６を、机４の天板３等に近接した前限まで移動させて、椅子５の後方に人が通行できる空間を形成することができる。
【００３２】
このスライド機構９により、座６および背凭れ１１は、不使用時には、机４における天板３の後縁に近接する前限において停止しているが、背凭れ１１を後方に引くことにより、前後のガイドローラ１７、１８が、前後のガイド溝１３、１４に沿って後方に移動し、瞬間中心が、床面１より下方に位置する状態で、上向き凸型のなだらかな円弧を描いて後方に回動させられる。
ガイドローラ１７、１８が、ガイド溝１３、１４の後端に当接した後限において、着座者は、容易に着座したり、立ち上がったりすることができる。
離席後、背凭れ１１から手を離すと、座６および背凭れ１１は、ガススプリング１９の付勢力により、上記と同じ軌跡を逆に辿って、元の前限まで復帰させられる。
このときの座６および背凭れ１１の動きは、ロッキングチェアの動きと同様であり、座の前後方向の移動軌跡が、座と脚とが床面と一体の支持体に設けた左右方向を向く枢軸を中心として回動するようにした従来の椅子における座の前後方向の回動軌跡よりもなだらかな円弧を描く。このとき、前後のガイドローラ１７、１８が、上記の通り、瞬間中心が、着座者の足が置かれた床面１より下方に位置する状態で、上向き凸型のなだらかな円弧を描いて移動する。
したがって、着座者は、着座するときには、わずかな力で背凭れ１１と座６とを、天板３から遠ざかる方向に引き出せして着座することができるとともに、着座後も、臀部や踝に力を入れることなく、上半身をわずかに前後動させるだけで、スライド機構９を作動させ、一体化された座６、脚１０、および背凭れ１１を、前後方向の所望の位置へ移動させることができるので、着座感および座６を前後動させる際の使い勝手をよくすることができる。
【００３３】
固定板７における左右の側板１２、１２より外側の部分は、着脱可能としたカバー(図示略)により覆われているが、これは本発明には直接関係しないため、詳細な説明は省略する。
【００３４】
可動板８の後部は、両側板１５、１５とともに両側方に鳩尾状に拡開し、その後縁中央部には、横長の方形の切込み孔８ａが設けられている。
【００３５】
可動板８の前後の端部には、後述する脚１０のベース３１を構成するループ状の杆材３３の前後の端部が上方より載置され、溶接により固着されている。
【００３６】
図４に示すように、上述した脚１０は、ベース３１と、その後部の左右方向の中央部より起立する脚柱(脚部材)３２とを備えている。ベース３１は、金属パイプよりなる１本の杆材３３を、平面視ほぼ方形のループ状に折曲することにより形成されている。
【００３７】
ループ状に折曲した杆材３３は、ベース３１の後部の左右方向の中央部において終端し、その終端において、左右の杆材３３をさらに上向きに折曲して延長させることにより、左右２本の上向杆材３４、３４よりなる上記の脚柱３２が、ベース３１と一体をなすように形成されている。なお、この例では、左右の上向杆材３４の対向面同士を互いに当接させているが、若干離間させておいてもよい。
【００３８】
脚柱３２の上端には、左右の上向杆材３４を、その上端において、さらに前方に向かってほぼ水平をなすように折曲して延長させることにより、左右２本の前向杆材３５、３５よりなる座支持杆３６が、ベース３１および脚柱３２と一体をなすように形成されている。なお、両前向杆材３５の前端の開口孔は、キャップ３７により閉塞されている。
【００３９】
脚１０のベース３１には、合成樹脂製の物品載置板３８が、次のようにして装着されている。
図４、図５および図１０〜図１４に示すように、物品載置板３８は、ベース３１と同形の平面視ほぼ方形の板状をなし、ループ状の杆材３３に上方より嵌合されて、外周部の下面が、ベース３１のループ状の杆材３３の上部の内周面により支持されている。物品載置板３８の外周部を除いた上面は、後方ほど深くなるように浅皿状に凹ませてある。
【００４０】
物品載置板３８の前端部の下面には、左右方向を向く前部杆材３３ａの内周面に嵌合可能な、下部を前方に向かって円弧状に湾曲させた左右１対の嵌合片３９、３９が、下向きに突設されている。物品載置板３８の後縁の左右方向の中央部には、弾性係合片４０が下向きに突設され、その下端には、前方を向く左右１対の係止爪４０ａ、４０ａが突設されている。
図１１および図１２に示すように、物品載置板３８の左右両側部の下面には、ループ状の杆材３３における前後方向の側部杆材３３ｂ、３３ｂの対向面に上方から嵌合することにより、物品載置板３８を左右方向に位置決めする位置決め片４１、４１が、下向きに突設されている。
【００４１】
物品載置板３８をベース３１に装着するには、図１３に示すように、まず物品載置板３８を前下がり状に手で保持した状態で、その前端部を前部杆材３３ａの上面に当接させつつ、左右の嵌合片３９を、前部杆材３３ａの内周面に上方より嵌合させる。
【００４２】
ついで、図１４に示すように、物品載置板３８を平らにしながら、その後端部を後部杆材３３ｃの上面に当接させるとともに、左右の位置決め片４１、４１を側部杆材３３ｂ、３３ｂの対向面に摺接させながら、弾性係合片４０を、後部杆材３３ｃの内面に沿って押し下げ、弾性係合片４０を可動板８の後端に設けた切込み孔８ａを貫通させて、左右の係止爪４０ａを可動板８の後縁部の下面に弾性係合させる。
これにより、物品載置板３８は、ベース３１の上部に、前後左右方向に位置ずれするのが防止されて、かつ上方へ外れ止めされて装着される。ベース３１は、１本の杆材３３を平面視ほぼ方形のループ状に折曲して形成されているので、物品載置板３８を、上述した要領により簡単に装着することができ、かつ上面を凹ませた形状として、小物の物品の落下を防止することができる。
【００４３】
このように、脚柱３２を、ベース３１の後部の左右方向の中央部より起立させて、ベース３１の上部に物品載置板３８を装着したことにより、座６の下方に、前方および左右両方向が完全に開放され、かつ後方は、左右方向の中央部のみが脚柱３２により閉塞され、その両側方が開放された広い物品収容空間Ｓが確保される。その結果、物品載置板３８に、上下寸法の大きな物品でも、脚柱３２に妨げられることなく、斜め後方を含む多方向から容易に出し入れすることができるので、物品載置板３８の使い勝手が向上する。
【００４４】
また、物品載置板３８全体が、脚１０のベース３１により支持されているので、質量の大きな物品でも、これを安定よく載置しうるとともに、物品載置板３８が変形するのも防止される。
さらに、ベース３１の大きさに対応して、載置面積の大きな物品載置板３８を装着することができるので、物品載置板３８の使い勝手がより向上する。
【００４５】
ベース３１、脚柱３２および座支持杆３６は、金属パイプよりなる１本の杆材３３を折曲することにより一体的に形成されているので、それらを別部材により個々に製作して互いに結合する必要はなく、部品点数および組立工数が削減されてコスト低減が図れる。
【００４６】
次に、上記座６の構造およびその表面(上面)の表装部材の取付構造を、図１５〜図２０を参照して詳細に説明する。なお、図１５の上方が座の前、下方が座の後である。
荷重受部材である座６は、底面視ほぼ後向きコ字形をなす金属パイプ状の座フレーム５０と、座フレーム５０における左右方向を向く前部フレーム５０ａと左右の側部フレーム５０ｂ、５０ｂにより、前部と両側部の下面が支持された、平面視ほぼ方形をなす硬質合成樹脂製の基板５１と、基板５１の上面に載置されるウレタン等のクッション材５２と、基板５１の上面に、クッション材５２を覆うようにして取付けられた、エラストマー等よりなる弾性を有する表装部材５３とを備えている。
【００４７】
左右の側部フレーム５０ｂの前端部同士と後端部同士は、それらの下面に、左右方向を向く連結板５４、５４の両端部を、溶接により固着することにより、互いに連結されている。この連結板５４により、座フレーム５０のねじり剛性が高められている(図６参照)。
【００４８】
前後の連結板５４の下面には、座６を座支持杆３６に取付けるための座取付部材５５、５５の左右両端部が、それらの下方より挿入したボルト５６、５６を、連結板５４の上面の溶接ナット５７、５７に螺合させて締め付けることにより固着されている(図１７参照)。
【００４９】
座取付部材５５、５５における左右両端部を除いた部分には、下向きに膨出するエンボス加工部５８が、また、このエンボス加工部５８の左右方向の中央部下面には、上向凹部５９がそれぞれ形成されている。前後の座取付部材５５の上向凹部５９に、上述した脚１０の座支持杆３６の上半部を嵌合し、溶接して固着することにより、基板５１を含む座６全体の左右方向の中央部が、座支持杆３６により支持されている(図６参照)。また、座６は、実質的に脚柱３２により片持ち支持されている。
【００５０】
図１６および図１７に示すように、基板５１は、中央部が下方に向かってなだらかに凹入するように湾曲する円弧状断面とされ、左右両側部を下向きコ字状断面をなすように折曲することにより、左右両側部には、前後方向を向くとともに、下方に開口する上向きの凹溝６０、６０が形成されている。この左右の凹溝６０を、座フレーム５０の左右の側部フレーム５０ｂ上に上方から嵌合することにより、基板５１の両側部下面が、左右の側部フレーム５０ｂにより左右方向に位置決めされて支持されている。基板５１の前端部は、やや前下がり状に湾曲され、その部分よりやや後方の下面が、座フレーム５０の前部フレーム５０ａにより支持されている。
【００５１】
図１７に示すように、座フレーム５０により支持された基板５１は、前後の連結板５４の上面に、複数のボルト６１により固定されている。なお、座フレーム５０における側部フレーム５０ｂ、５０ｂの後端には、上向きの背凭れ支持杆５０ｃ、５０ｃが連設され、この左右の背凭れ支持杆５０ｃに、背凭れ１１の左右両側部を上方より嵌合して固定することにより、背凭れ１１は、座フレーム５０により支持されている(図２参照)。
【００５２】
基板５１の外周端よりも内方の部分には、表面側(上方)に開口する凹形断面の差込溝６２が、周方向に平面視ほぼ方形をなして連続するように形成されている。この差込溝６２における左右両側のものは、左右の側部フレーム５０ｂと凹溝６０よりも内方に、前側のものは、前部フレーム５０ａよりもやや前方に位置するようにしてある。なお、上述したクッション材５２は、差込溝６２により囲まれた内方に載置される大きさとされている。
【００５３】
表装部材５３は、基板５１の大きさよりも若干小さな平面視ほぼ方形をなし、図１６〜図１８及び図２０の底面図に示すように、その外周部の裏面には、上記差込溝６２に上方より嵌合可能な基板５１方向を向く差込片６３が、周方向に連続するようにして突設されている。表装部材５３の裏面からの差込片６３の突出寸法は、差込溝６２の深さよりも大とされ、後述するように、差込溝６２に差込片６３を嵌合した際、その上部が差込溝６２の上方に突出するようになっている。なお、クッション材５２は、差込片６３により囲まれた内方に収容されるようになっている。
【００５４】
表装部材５３における差込片６３よりも外側の外周端には、基板５１の表面に向かって屈曲する、閉塞部としての閉塞片６４が連設されている。この閉塞片６４の先端(下端)は、表装部材５３を後述する要領で基板５１に取付けたとき、基板５１の外周部の表面に当接または近接するようになっている。
【００５５】
図１６、図１８〜図２０に示すように、表装部材５３の前後左右の差込片６３には、上下寸法が差込片６３のそれよりも短寸の４個からなる硬質合成樹脂製の補強片６５が、次のようにして取付けられている。
前後左右の差込片６３には、取付孔６６が、周方向に複数穿設されており、それらの取付孔６６に、各補強片６５の外面に突設した複数の突部６７を、内方より圧嵌することにより、各補強片６５は、前後左右の差込片６３の内面に、その下部と重合するようにして取付けられている。なお、上記とは反対に、補強片６５に設けた取付孔に、差込片６３に突設した突部を圧嵌して、差込片６３に補強片６５を取付けるようにしてもよい。
【００５６】
各補強片６５の下縁には、内向きの係合突部６８ａを有する複数(３個)の弾性係合片６８が、下向きに突設されている。各弾性係合片６８の断面形状は、先細り状とされている。
各弾性係合片６８と対向する基板５１の差込溝６２の底壁には、差込片６３と対向する部分を除いて、下方と内側方に開口する弾性係合片６８が嵌合される開口部６９が形成され、この開口部６９の内方の開口下端、すなわち、差込溝６２の内方の内面と連続する基板５１の外周部の下端は、係合突部６８ａの上端が係合可能な係止段部７０となっている。
【００５７】
基板５１の表面に表装部材５３を取付けるには、表装部材５３における差込片６３により囲まれた内方に、クッション材５２を収容してこれを保持したのち、図１８に示すように、基板５１の差込溝６２に、差込片６３とそれに取付けた補強片６５とを上方より嵌合し、補強片６５の下縁の各弾性係合片６８を、差込溝６２の下部の開口部６９に嵌合して貫通させるとともに、係合突部６８ａを係止段部７０に弾性係合させる。この際、差込片６３の突出寸法を、差込溝６２の深さよりも大としてあるので、差込片６３のほぼ上半部が差込溝６２の上方に突出した状態となる。
【００５８】
これにより、基板５１と表装部材５３との対向面間にクッション材５２が収容された状態で、基板５１の表面に表装部材５３が止着されるとともに、表装部材５３の外周部の閉塞片６４の先端が、基板５１の外周部の表面に当接または近接するので、差込溝６２や差込片６３が露呈しなくなる。なお、差込片６３を差込溝６２に嵌合して、弾性係合片６８を係止段部７０に係合させたとき、閉塞片６４が上向きに弾性変形するようにしてもよい。このようにするためには、差込溝６２の深さを深くするか、または閉塞片６３の下方への突出寸法を大とすればよい。
【００５９】
このように、閉塞片６４が上向きに弾性変形するようにすると、着座時に表装部材５３が下方に撓んでも、閉塞片６４の先端が基板５１の表面から離間することがなく、常に基板５１の表面に当接するようになるので、基板５１との当接面に隙間が形成されることがなくなる。
また、差込片６３および弾性係合片６８に上向きの反力が作用するので、係合突部６８ａが係止段部７０より外れにくくなる。
【００６０】
座６の基板５１における前部と左右両側部は、それらの下面を支持する底面視後向きコ字状をなす座フレーム５０により、また、中央部においては、その下面を支持するようにして、左右の側部フレーム５０ｂ、５０ｂに両端部が結合された前後の連結板５４、５４により、それぞれ補強され、さらに、基板５１の左右方向の中央部下面が、実質的に座支持杆５５により支持されているので、着座した際の荷重により、基板５１を含む座６全体が下方に過度に撓むのが防止される。従って、座６の下方の物品収容空間Ｓが狭められることはなく、ベース３１に装着した物品載置板５７の使い勝手が妨げられることはない。
【００６１】
上記実施形態の表装部材５３の取付構造によると、基板５１の外周部に形成された差込溝６２およびそれに嵌合された差込片６３は、表装部材５３における差込片６３よりも外方の外周部に設けた閉塞片６４により覆われ、外部に露呈しないので、いたずら等により、差込溝６２から差込片６３が引き抜かれるおそれがない。しかも、差込片６３に取付けた補強片６５における弾性係合片６８の係合突部６８ａが、基板５１における開口部６９の下端の係止段部７０に係合しているので、別途抜け止め部材を設けなくとも、差込片６３が妄りに差込溝６２より離脱するおそれがない。
【００６２】
また、差込片６３の上半部が差込溝６２の上方に突出するようにしているので、着座時に差込片６３の突出部も内方に弾性変形し易くなる。その結果、表装部材５３の外周部の柔軟性が阻害されることがなくなり、表装部材５３全体が弾性変形するので、柔軟な着座感が得られる。
【００６３】
さらに、差込片６３に補強片６５を取付けて二重構造とし、それらの重合部を差込溝６２に嵌合しているので、差込溝６２に対しての差込片６３の嵌合強度が大となり、差込片６３を差込溝６２内に安定よく保持しうるとともに、差込片６３が内方に大きく弾性変形したとしても、それが差込溝６２より離脱するおそれはない。
【００６４】
以上説明したように、上記実施形態においては、床面１に固着した固定板７に対して、可動板８をほぼ前後方向に移動可能として装着してなるスライド機構９と、スライド機構９の可動板８上に固着したベース３１と、ベース３１上に立設した脚柱３２と、脚柱３２上に支持された座６とを備えるものとしてあるので、ベース３１と脚部材３２と座６とを一体とすることができ、座６を安定よく支持することができるだけでなく、従来の椅子のように、脚部材が大きく前後方向に回動することがないので、座６の支持構造が座６の下方の空間を大きく妨げることがなく、しかも構造が簡単で、安価に製造することができる。
【００６５】
また、スライド機構９を、可動板８の前後方向の移動時における瞬間中心が、床面１より下方に位置し、可動板８が側面視において上向き凸型のなだらかな円弧を描いて前後方向に案内されるように構成してあるので、座の前後方向の移動軌跡が、座と脚柱とが床面と一体の支持体に設けた左右方向を向く枢軸を中心として回動するようにした従来の椅子における座の前後方向の回動軌跡よりもなだらかな円弧を描くようにすることができ、もって着座感および座を前後動させる際の使い勝手をよくすることができる。
【００６６】
さらに、スライド機構９を、固定板７と可動板８とのいずれか一方に設けられた左右方向を向く前後１対のガイドピン(ガイドローラ１７、１８)と、固定板７と可動板８とのいずれか他方に設けられ、かつ可動板８の前後方向の移動時に、各ガイドピンを互いに独立して案内する前後１対のガイド溝１３、１４を設けた左右１対の側板１５とを備えるものとし、ガイド溝１３、１４の形状を、可動板８が前方に移動したときは、可動板８の前部が下向きに傾動し、可動板８が後方に移動したときは、可動板８の前部が上向きに傾動するように定めてあるので、ベース３１を可及的に床面１に近接させることができ、座６の下方の空間を大とすることができるとともに、スライド機構９の構造を簡素化し、安価に製造することができる。
【００６７】
その他にも、次のような構成によって、それぞれ次のように効果を奏することができる。
(１)  脚柱３２を、ベース３１の左右方向の中央における後部、もしくは前部、またはその両方に設けてあるので、座６の下方の空間に、椅子５の左右方向だけでなく、斜め後方や斜め前方からも物品を出し入れすることができ、座６の下方の空間を物品収容空間Ｓとしたときの使い勝手がよい。
【００６８】
（２）ベース３１の上面を物品載置面とするか、または座６とベース３１との間において、棚板を脚柱に設けてあるので、座６の下方の空間を、物品収容空間Ｓとして有効に利用することができる。
【００６９】
（３）固定板７に、可動板８を前方に向けて付勢する付勢手段を設けてあるので、椅子５の不使用時に、座６を、机４の天板３等に近接した前限まで移動させて、椅子５の後方に人が通行できる空間を形成することができる。
【００７０】
本発明は、上記実施形態のみに限定されるものではなく、特許請求の範囲を逸脱することなく、例えば、次のような変形した態様での実施が可能である。
(１)座６とベース３１との間において、棚板(図示略)を脚柱３２に設ける。
(２)スライド機構９を、他の構造のものとする。
(３)脚柱３２を、ベース３１の後部における左右方向の中央に設ける代わりに、または、ベース３１の前部における左右方向の中央に設ける。
(４)脚柱３２を、ベース３１の後部における左右方向の中央と、ベース３１の前部における左右方向の中央との両方に設ける。
【符号の説明】
【００７１】
１  床面
２  固定脚
３  天板
４  机
５  椅子
６  座
７  固定板
８  可動板
８ａ切込み孔
９  スライド機構
１０  脚
１１  背凭れ
１２  側板
１２ａ摺動板
１２ｂ係止爪
１３、１４  ガイド溝
１３ａ、１４ａ  ガイドブッシュ
１５  側板
１６  軸
１７、１８  ガイドローラ(ガイドピン)
１９  ガススプリング
２０、２１  ブラケット
２０ａ、２１ａ  軸
２２  係合孔
３１  ベース
３２  脚柱
３３  杆材
３３ａ前部杆材
３３ｂ側部杆材
３３ｃ後部杆材
３４  上向杆材
３５  前向杆材
３６  座支持杆
３７  キャップ
３８  物品載置板(物品載置部)
３９  嵌合片(嵌合部)
４０  弾性係合片
４０ａ係止爪
４１  位置決め片
５０  座フレーム
５０ａ前部フレーム
５０ｂ側部フレーム
５０ｃ背凭れ支持杆
５１  基板
５２  クッション材
５３  表装部材
５４  連結板(連結部材)
５５  座取付部材
５６  ボルト
５７  溶接ナット
５８  エンボス加工部
５９  上向凹部
６０  凹溝
６１  ボルト
６２  差込溝
６３  差込片
６４  閉塞片(閉塞部)
６５  補強片
６６  取付孔
６７  突部
６８  弾性係合片
６８ａ係合突部
６９  開口部
７０  係止段部
Ｓ  物品収容空間
【図１】
2015085103.tif 000003
【図２】
2015085103.tif 000004
【図３】
2015085103.tif 000005
【図４】
2015085103.tif 000006
【図５】
2015085103.tif 000007
【図６】
2015085103.tif 000008
【図７】
2015085103.tif 000009
【図８】
2015085103.tif 000010
【図９】
2015085103.tif 000011
【図１０】
2015085103.tif 000012
【図１１】
2015085103.tif 000013
【図１２】
2015085103.tif 000014
【図１３】
2015085103.tif 000015
【図１４】
2015085103.tif 000016
【図１５】
2015085103.tif 000017
【図１６】
2015085103.tif 000018
【図１７】
2015085103.tif 000019
【図１８】
2015085103.tif 000020
【図１９】
2015085103.tif 000021
【図２０】
2015085103.tif 000022